【事件の表示】
　平成１０年特許願第２６６９４３号「画像データ管理装置、画像データ管理方法および画像データ管理プログラムを記録した媒体」拒絶査定不服審判事件〔平成１２年　４月　７日出願公開、特開２０００−１０１８９４〕について、次のとおり審決する。
【結　論】
　本件審判の請求は、成り立たない。
【理　由】
１．手続の経緯
　本願は、平成１０年９月２１日の出願であって、平成１６年２月１８日付けで拒絶理由通知がなされ、同年３月３０日付けで手続補正がなされたが、同年５月７日付けで拒絶査定がなされ、これに対し、同年６月４日に拒絶査定不服審判の請求がなされるとともに、同年６月２２日付けで手続補正がなされたものである。
　
２．平成１６年６月２２日付けの手続補正についての補正却下の決定
［補正却下の決定の結論］
　平成１６年６月２２日付けの手続補正を却下する。
　
［理由］
（１）補正後の請求項１に係る発明
　本件手続補正により、特許請求の範囲の請求項１は、
「複数の画像データについてそれぞれにリマーク情報を対応づけて記憶しつつ同リマーク情報について適宜更新管理可能なデータ記憶手段と、
　新規に付すリマーク情報を生成するリマーク情報生成手段と、
　リマーク情報を更新する際に新規に付すリマーク情報と既に付されているリマーク情報との関係を指示する更新条件であって既存のリマーク情報と新規に付すリマーク情報とを連結させる順序を示す更新条件を設定する更新条件設定手段と、
　リマーク情報を更新する画像データを選択する画像データ選択手段と、
　この画像データ選択手段にて選択された画像データのリマーク情報に対し、上記更新条件設定手段にて設定された更新条件に基づいて上記データ記憶手段にて記憶されている既存のリマーク情報を読み込むとともに新規に付すリマーク情報と上記順序で連結して新たなリマーク情報を生成して更新するリマーク情報更新手段とを具備することを特徴とする画像データ管理装置。」
と補正された。
　上記補正は、補正前の請求項１の「リマーク情報を更新する際に新規に付すリマーク情報と既に付されているリマーク情報との関係を指示する更新条件を設定する更新条件設定手段」を「リマーク情報を更新する際に新規に付すリマーク情報と既に付されているリマーク情報との関係を指示する更新条件であって既存のリマーク情報と新規に付すリマーク情報とを連結させる順序を示す更新条件を設定する更新条件設定手段」に限定するとともに、「この画像データ選択手段にて選択された画像データのリマーク情報に対して上記更新条件設定手段にて設定された更新条件に基づいて上記リマーク情報生成手段にて生成したリマーク情報で更新するリマーク情報更新手段」を「この画像データ選択手段にて選択された画像データのリマーク情報に対し、上記更新条件設定手段にて設定された更新条件に基づいて上記データ記憶手段にて記憶されている既存のリマーク情報を読み込むとともに新規に付すリマーク情報と上記順序で連結して新たなリマーク情報を生成して更新するリマーク情報更新手段」に限定するものであって、特許法第１７条の２第４項第２号の特許請求の範囲の減縮を目的とするものに該当する。
　そこで、本件手続補正後の上記請求項１に係る発明（以下、「本願補正発明」という。）が特許出願の際独立して特許を受けることができるものであるか（特許法第１７条の２第５項において準用する同法第１２６条第５項の規定に適合するか）について、以下に検討する。
　　
（２）引用例及び周知例
　原査定の拒絶の理由に引用された特開平１０−５６６１０号公報（以下、「引用例」という。）、及び原査定の備考欄において周知例として引用された特開平５−２７４３７６号公報（以下、「周知例１」という。）、特開平３−１７１３６８号公報（以下、「周知例２」という。）には、それぞれ、図面とともに次の事項が記載されている。
　
（引用例）
Ａ．「【０００１】
【発明の属する技術分野】この発明は電子撮像装置に関し、特に被写体を撮影して取り込んだ画像に対応させて日付、コメントなどの付加情報を記憶する電子撮像装置に関する。」
　
Ｂ．「【０００６】この発明の目的は、簡単な構成で、カメラ本体に記憶されている画像とその画像に対応する日付、メモ等の付加情報とを別々に管理することが可能な電子撮像装置を提供することにある。この発明の他の目的は、付加情報の編集を容易にすることが可能な電子撮像装置を提供することである。
【０００７】
【課題を解決するための手段】上記目的を達成するために、この発明の外部機器とデータ通信を行う電子撮像装置は、被写体の画像を撮像する撮像手段と；前記外部機器から送られてくる付加情報を受信する付加情報受信手段と；前記撮像手段により撮像した画像データと前記付加情報受信手段により受信した付加情報とを対応させて別々の領域に記憶する手段とを有する。
【０００８】この発明によれば、 撮像手段は被写体の画像を撮像し、付加情報受信手段は外部機器から送られてくる付加情報を受信し、記憶手段は撮像手段により撮像した画像データと付加情報受信手段により受信した付加情報とを対応させて別々の領域に記憶する。従って、撮像した画像データと外部機器から受信した付加情報とを対比させて別々の領域に記憶するようにしたので、画像データと付加情報とを一体化しなくて済み、これにより簡単な構成で、カメラ本体に記憶されている画像とその画像に対応する日付、メモ等の付加情報とを別々に管理することが可能である。
【０００９】・・・（中略）・・・
【００１０】また、外部機器とのデータ通信により付加情報を入力するようにしたので、画像に対応させていつでも付加情報を与えることができる。また、外部機器とのデータ通信により付加情報を編集するようにしたので、付加情報についていつでも、容易に挿入、更新、削除等の編集を行うことが可能である。」
　
Ｃ．「【００１２】
【発明の実施の形態】以下、図面を参照してこの発明の一実施例について説明する。図１は、この発明の電子撮像装置の一実施形態であるデジタルカメラの外観形状を示す外観斜視図である。図１において、矩形状のデジタルカメラ１は、例えば、本体部２とカメラ部３とから構成され、これらは回動自在に結合されている。
　・・・（中略）・・・
【００１６】次に、内部構成について説明する。。図２はデジタルカメラ１の内部構成を示すブロック図であり、図３は後述するフラッシュメモリ２７の記憶内容の一例を示す図である。
　・・・（中略）・・・
【００２１】ＤＲＡＭ２５は、タイミングジェネレータ２４からバスを介して撮像状態を示す画像データを一時的に記憶する半導体メモリである。圧縮／伸張回路２６は、ＤＲＡＭ２５に格納された画像データを、所定符号化方式を用いて圧縮処理して、これを圧縮データとしてフラッシュメモリ２７に記憶させたり、そのフラッシュメモリ２７に記憶された圧縮データを読み出して、逆に伸張処理する。フラッシュメモリ２７は、図３に示したごとく、圧縮／伸張回路２６により圧縮した圧縮データを記憶する画像メモリ２７Ｂと、その圧縮データにより形成される画像に付加する日付、メモ等の付加情報を記憶する付加情報メモリ２７Ａとを具備したメモリである、圧縮データとその圧縮データに対応する付加情報とは共通の画像Ｎｏ．（ページ数）に関連づけて記憶される。図３において、ＡＤＤは付加情報を示し、ＣＯＭは圧縮データを示しており、画像Ｎｏ．ｎ（ｎは自然数、1 ≦n ≦N ）には、付加情報ＡＤＤｎと圧縮データＣＯＭｎとが対応して記憶される。例えば、Ｎ＝９６とした場合には、画像データを圧縮した状態で、最大９６頁分の撮影画像を記憶することができる。また、画像Ｎｏ．２については、圧縮データＣＯＭ２に対応する付加情報は付加されていないものとする。
【００２２】キー入力部３０は、前述したように、電源スイッチ８、シャッターキー９、「ＤＥＬ」キー１０、「＋」キー１１、「−」キー１２、ディスプレイキー１４、ズームキー１５、切り替えキー等を備える。切り替えキーは、ＬＣＤ６の表示画像を、撮影された画像、及び付加情報（日付、メモ等）による文字画像、撮影された画像とその付加情報による文字画像との合成画像の内のいずれかに切り替えるキーである。上記付加情報は、ケーブル２００を介して外部機器１００から入力することが可能であり、例えば、デジタルカメラ１上では、スーパーインポーズ機能や、キー操作により簡易文字入力機能を適用することができる。」
　
Ｄ．「【００４３】さて、図９（ａ）及び（ｂ）に示した編集処理では、被写体の画像に付加情報を付加する作業であったが、画像Ｎｏ．３のようにすでに圧縮データＣＯＭ３に対応させて付加情報ＡＤＤ３が記憶されていても、圧縮データＣＯＭ３だけでなく、付加情報ＡＤＤ３についても編集することができる。
【００４４】そこで、画像ＮＯ．３の付加情報ＡＤＤ３を編集する方法についても説明する。まず、使用者は、編集対象となる被写体を選択するため、外部機器１００からデジタルカメラ１に対して記憶済みの被写体の画像を表示させる。その際、外部機器１００の命令により画像及び付加情報表示処理（図６のステップＳ４０４）が行われ、 そこで編集対象となる画像Ｎｏ．３の画像表示が命令されると、フラッシュメモリ２７からその画像ＮＯ．３に対応する圧縮／伸張回路２６で伸張され、付加情報ＡＤＤ３については文字パターンが発生される。その結果、ＬＣＤ６には図１０（ａ）に示したように、例えば被写体「富士山」の画像とその付加情報「１９９６０１０１Ｍｔ．Ｆｕｊｉ」とが合成されて表示される。
【００４５】ユーザは、図１０（ａ）に示した被写体「富士山」の付加情報「１９９６０１０１  Ｍｔ．Ｆｕｊｉ」を編集対象として決定すると、その付加情報ＡＤＤ３のみを転送する処理を、外部機器１００の入力装置１０２を用いて操作する。すなわち、デジタルカメラ１では、図６のステップＳ４０５において、画像Ｎｏ．３の付加情報についての転送命令に従って、フラッシュメモリ２７の付加情報メモリ２７Ａから付加情報ＡＤＤ３を読み出し、これをケーブル２００を介して外部機器１００に転送する処理が実行される。その結果、図１０（ａ）に示したように、外部機器１００の表示装置１０１には、付加情報１０１ｂ「１９９６０１０１  Ｍｔ．Ｆｕｊｉ」の文字画像のみが表示される。
【００４６】ユーザは、表示装置１０１に表示された付加情報１０１ｂを見て、入力装置１０２のキー操作で編集を開始する。その結果、図１０（ｂ）に示したように、付加情報１０１ｃ「１９９６０１０１  富士山」の文字画像が得られる。
【００４７】次に、入力装置１０２のキー操作により、その付加情報１０１ｃ「１９９６０１０１富士山」の付加情報がデジタルカメラ１に転送される。その際、まず、外部機器１００からのデジタルカメラ１に対して編集命令を示すコマンドが転送され、これを受けたデジタルカメラ１の準備を確認してから編集データは転送される。この編集データには、編集（更新）対象の画像Ｎｏ．３を示す画像Ｎｏ．データと、編集（更新）内容を示す編集内容データと、編集対象となるデータを示す付加情報（付加情報１０１ｃ）とが含まれている。
【００４８】デジタルカメラ１は、ステップＳ４０３において、受信されたコマンドが編集命令を示すコマンドであることを確認すると、処理をステップＳ４０６に移行させ図７に示した編集処理を開始する。
【００４９】ステップＳ４６１において、画像Ｎｏ．データ「３」と編集内容データ「付加情報更新」と付加情報（付加情報１０１ｃ）とを含む編集データが受信されると、続くステップＳ４６２において、その受信された画像Ｎｏ．データ「３」に基づいて編集対象となる画像Ｎｏ．３が確認され、さらにその受信された編集内容データ「付加情報更新」に基づいて編集対象となるデータ種別“付加情報”が確認される。
【００５０】そして、ステップＳ４６３において、データ種別が付加情報であることが確認されると、処理はステップＳ４６５に移行してフラッシュメモリ２７の付加情報メモリ２７Ａで編集対象となった画像ＮＯ．３のアドレスに、受信された付加情報（付加情報１０１ｃ）が上書きされる。その結果、図１１（ｂ）に示したように、被写体「富士山」の画像を形成するための圧縮データＣＯＭ３に対応させて付加情報１０１ｃ「１９９６０１０１  富士山」の付加情報ＲＡＤＤ３に更新される。なお、ステップＳ４６３において、データ種別が圧縮データであった場合には、前述したごとくステップＳ４６４において画像データの編集が行われる。
【００５１】さて、上述の付加情報の編集（ステップＳ４６５）の後に、処理が終了すると（ステップＳ４６６）、再び図６の通信処理に戻る。そこで、外部機器１００から画像及び付加情報表示処理の命令が転送されてくると、ステップＳ４０４において、その処理対象がＮｏ．２であることを確認すると、フラッシュメモリ２７から画像Ｎｏ．３に対応する圧縮データＣＯＭ３と付加情報ＡＤＤ３とが読み取れる。その際、圧縮データＣＯＭ３については伸張が行われ、付加情報ＲＡＤＤ３については文字パターン発生がおこなわれて、これら２つの画像がＶＲＡＭ３３で合成され、図１０（ｃ）に示したように、ＬＣＤ６に、被写体「富士山」の画像と付加情報「１９９６０１０１  富士山」の文字画像との合成画像が表示される。もちろん、この表示状態から、被写体「富士山」の画像のみの表示や、付加情報「１９９６０１０１  富士山」の文字画像のみの表示に切り替えることは、前述したように、外部機器１００からの命令により自由に行うことができる。」
　
　上記Ｂの段落【００１０】には、「・・・付加情報についていつでも、容易に挿入、更新、削除等の編集を行うことが可能である。」と記載されており、引用例記載のものにおいて、複数の画像データに対応づけて記憶されている付加情報は、適宜更新管理可能なものであるということができる。
　また、上記Ｄの段落【００４５】〜【００４６】の記載によれば、被写体「富士山」の画像に既に付されている「１９９６０１０１  Ｍｔ．Ｆｕｊｉ」という付加情報を、入力装置１０２のキー操作で編集して、「１９９６０１０１  富士山」という付加情報に変更している。ここで、「１９９６０１０１  富士山」という付加情報のうち「富士山」の部分は、「１９９６０１０１  Ｍｔ．Ｆｕｊｉ」という旧付加情報にはない部分であり、新規に付す付加情報部分であるということができる。そして、入力装置１０２は、新規に付す付加情報部分である「富士山」という情報を生成する「付加情報生成手段」としての機能を奏するということができる。
　さらに、上記Ｄの段落【００４４】には、「・・・まず、使用者は、編集対象となる被写体を選択するため、外部機器１００からデジタルカメラ１に対して記憶済みの被写体の画像を表示させる。その際、外部機器１００の命令により画像及び付加情報表示処理（図６のステップＳ４０４）が行われ、 そこで編集対象となる画像Ｎｏ．３の画像表示が命令されると、・・・」と記載されており、引用例記載のものにおいて、外部機器１００は、付加情報を更新する画像データを選択する「画像データ選択手段」としての機能を奏するということができる。
　そして、上記Ｄの記載に見られる「１９９６０１０１  Ｍｔ．Ｆｕｊｉ」という付加情報を「１９９６０１０１  富士山」という付加情報に更新する動作は、フラッシュメモリにて記憶されている既存の「１９９６０１０１  Ｍｔ．Ｆｕｊｉ」という付加情報を読み込んで、その一部である「Ｍｔ．Ｆｕｊｉ」という部分を「富士山」という新規に付す付加情報に置換して新たな付加情報を生成して更新する動作であるということができ、引用例記載のものは、そのような機能を奏する「付加情報更新手段」を備えているということができる。
　また、引用例記載のものにおいて、デジタルカメラ１及び外部機器１００よりなるシステムは、全体として「画像データ管理装置」としての機能を奏するということができる。
　
　よって、上記Ａ〜Ｄの記載及び関連する図面を参照すると、引用例には、次の発明が記載されているものと認められる。（以下、「引用例記載の発明」という。）
「複数の画像データについてそれぞれに付加情報を対応づけて記憶しつつ同付加情報について適宜更新管理可能なフラッシュメモリと、
　新規に付す付加情報を生成する入力装置と、
　付加情報を更新する画像データを選択する画像データ選択手段と、
　この画像データ選択手段にて選択された画像データの付加情報について、上記フラッシュメモリにて記憶されている既存の付加情報を読み込むとともにその一部を新規に付す付加情報に置換して新たな付加情報を生成して更新する付加情報更新手段とを具備する画像データ管理装置。」
　
（周知例１）
Ｅ．「【請求項２】  画像情報に固有の検索情報を付加して保存する画像情報処理装置と回線を介して接続され、前記検索情報を自動的に修正および編集する管理制御装置であって、
修正すべき検索情報に対応する修正値を設定する設定手段と、
修正の対象となる検索情報の検索値を入力する入力手段と、
この入力手段で入力された前記検索値に該当する検索情報を、前記設定手段で設定された前記修正値により一括して修正する修正手段と、
この修正手段で修正された検索情報にしたがって前記画像情報処理装置を制御し、当該検索情報とそれに対応する画像情報とを集めて編集する編集手段とを具備したことを特徴とする画像情報処理装置の管理制御装置。」
　
（周知例２）
Ｆ．「２．特許請求の範囲
　操作者によって入力されたキーワードの変更内容および操作者によってキーワード変更の対象に指定された複数の文書名を記憶する変更情報メモリーと、上記変更情報メモリーに記憶された文書名を１件分ずつ順次検出する変更文書検出手段と、上記変更文書検出手段によって検出された文書名の文書ごとにそれぞれ、上記変更情報メモリーに記憶された変更内容によるキーワードの変更処理を行なうキーワード変更制御手段とを備えた文書ファイル装置。」（第１頁左下欄第４〜１４行）
　
Ｇ．「第２図は、第１図に示した装置の要部における動作概要をフローチャートで示したものであって、まず、操作者がキーボード１によって、キーワード変更の対象とすべき複数件の文書をそれぞれ文書名（番号）で指定し、さらに各文書に共通のキーワード変更内容すなわち変更すべきキーワード項目と変更によって置き換えられるべき新たなキーワードを入力する（Ｓｌ，Ｓ２）。これらの変更情報は変更情報メモリー８に記憶される（Ｓ３）。」（第３頁右上欄第１７行〜左下欄第５行）
　
（３）対比
　本願補正発明と引用例記載の発明とを対比すると、まず、引用例記載の発明における「付加情報」、「フラッシュメモリ」、「入力装置」は、それぞれ、本願補正発明における「リマーク情報」、「データ記憶手段」、「リマーク情報生成手段」に相当する。
　次に、引用例記載の発明における「付加情報更新手段」と、本願補正発明における「リマーク情報更新手段」は、ともに、「画像データ選択手段にて選択された画像データのリマーク情報（付加情報）について、データ記憶手段（フラッシュメモリ）にて記憶されている既存のリマーク情報（付加情報）を読み込むとともに新規に付すリマーク情報（付加情報）を用いて新たなリマーク情報（付加情報）を生成して更新する」点においては共通するものである。
　
　よって、本願補正発明と引用例記載の発明とは、ともに、
「複数の画像データについてそれぞれにリマーク情報を対応づけて記憶しつつ同リマーク情報について適宜更新管理可能なデータ記憶手段と、
　新規に付すリマーク情報を生成するリマーク情報生成手段と、
　リマーク情報を更新する画像データを選択する画像データ選択手段と、
　この画像データ選択手段にて選択された画像データのリマーク情報について、上記データ記憶手段にて記憶されている既存のリマーク情報を読み込むとともに新規に付すリマーク情報を用いて新たなリマーク情報を生成して更新するリマーク情報更新手段とを具備する画像データ管理装置。」
である点で一致し、次の点で相違する。
　
　相違点１：本願補正発明は、「リマーク情報を更新する際に新規に付すリマーク情報と既に付されているリマーク情報との関係を指示する更新条件であって既存のリマーク情報と新規に付すリマーク情報とを連結させる順序を示す更新条件を設定する更新条件設定手段」を具備するのに対し、引用例記載の発明は、そのような手段を具備するとはされていない点。
　
　相違点２：「リマーク情報更新手段」が、本願補正発明においては、「この画像データ選択手段にて選択された画像データのリマーク情報に対し、上記更新条件設定手段にて設定された更新条件に基づいて上記データ記憶手段にて記憶されている既存のリマーク情報を読み込むとともに新規に付すリマーク情報と上記順序で連結して新たなリマーク情報を生成して更新する」ものであるのに対し、引用例記載の発明においては、そのようなものではない点。
　
（４）判断
　そこで、上記相違点１，２について検討する。
　
（相違点１について）
　上記周知例１，２の記載に見られるように、画像情報等に対して付与される検索情報（キーワード）を更新する際に、更新前の情報と更新後の情報の双方を対応させておいて、一括更新するようにすることは、周知技術である。
　ここで、上記周知例１，２において、更新前の情報と更新後の情報の双方を対応させておいて一括更新するときの更新前の情報と更新後の情報の関係は、「置換」という関係であるということができる。
　一方、情報を更新する場合の更新の手法には様々の態様があり、既存の情報に対して新規に付す情報を連結させる順序を設定して更新を行うようにすることも、例えば、特開平８−２９７６５９号公報の段落【００２０】〜【００２１】及び図４（ｂ）において、動作モードが「Ｂ．取込み」の場合に、既存の情報である「東洋」という文字列の後に、新規に付す情報である「ユーラシア大陸の東岸」という文字列を連結させている（すなわち、この場合は、既存の情報の「後に」新規に付す情報を連結させるように「順序」が設定されている。）如く、周知の手法にすぎない。
　してみれば、引用例記載の発明に対して、上記周知例１，２に記載された周知技術、及び上記特開平８−２９７６５９号公報に記載された周知技術を適用して、「リマーク情報を更新する際に新規に付すリマーク情報と既に付されているリマーク情報との関係を指示する更新条件であって既存のリマーク情報と新規に付すリマーク情報とを連結させる順序を示す更新条件を設定する更新条件設定手段」を具備するように構成することは、当業者が適宜に設計できる事項にすぎないものと認められる。
　
（相違点２について）
　上記相違点１で検討したように、引用例記載の発明を、「リマーク情報を更新する際に新規に付すリマーク情報と既に付されているリマーク情報との関係を指示する更新条件であって既存のリマーク情報と新規に付すリマーク情報とを連結させる順序を示す更新条件を設定する更新条件設定手段」を具備するような構成とすることは、当業者が適宜に設計できる事項にすぎない。
　してみれば、引用例記載の発明を上記「更新条件設定手段」を具備するような構成としたときに、該「更新条件設定手段」にて設定された更新条件に基づいて更新を行うようにすることは、当然のことであり、その場合に、「データ記憶手段にて記憶されている既存のリマーク情報を読み込むとともに新規に付すリマーク情報と上記順序で連結して新たなリマーク情報を生成して更新する」ようにすることも、当業者が適宜になし得ることにすぎない。
　よって、「リマーク情報更新手段」を、「この画像データ選択手段にて選択された画像データのリマーク情報に対し、上記更新条件設定手段にて設定された更新条件に基づいて上記データ記憶手段にて記憶されている既存のリマーク情報を読み込むとともに新規に付すリマーク情報と上記順序で連結して新たなリマーク情報を生成して更新する」ものとすることは、当業者が適宜に設計できる事項にすぎないものと認められる。
　
　そして、本願補正発明の構成によってもたらされる効果も、引用例記載の発明、上記周知例１，２に記載された周知技術、及び上記特開平８−２９７６５９号公報に記載された周知技術から当業者ならば容易に予測することができる程度のものであって、格別のものとはいえない。
　したがって、本願補正発明は、引用例記載の発明、上記周知例１，２に記載された周知技術、及び上記特開平８−２９７６５９号公報に記載された周知技術に基いて、当業者が容易に発明をすることができたものであるから、特許法第２９条第２項の規定により、特許出願の際独立して特許を受けることができないものである。
　
（５）むすび
　よって、本件手続補正は、特許法第１７条の２第５項で準用する同法第１２６条第５項の規定に違反するものであり、特許法第１５９条第１項で準用する同法第５３条第１項の規定により却下されるべきものである。
　
３．補正却下の決定を踏まえた検討
（１）本願発明
　平成１６年６月２２日付けの手続補正は、上記のとおり却下されたので、本願の請求項１に係る発明は、平成１６年３月３０日付け手続補正書の特許請求の範囲の請求項１に記載されたとおりの次のものと認める。（以下、「本願発明」という。）
「複数の画像データについてそれぞれにリマーク情報を対応づけて記憶しつつ同リマーク情報について適宜更新管理可能なデータ記憶手段と、
　新規に付すリマーク情報を生成するリマーク情報生成手段と、
　リマーク情報を更新する際に新規に付すリマーク情報と既に付されているリマーク情報との関係を指示する更新条件を設定する更新条件設定手段と、
　リマーク情報を更新する画像データを選択する画像データ選択手段と、
　この画像データ選択手段にて選択された画像データのリマーク情報に対して上記更新条件設定手段にて設定された更新条件に基づいて上記リマーク情報生成手段にて生成したリマーク情報で更新するリマーク情報更新手段とを具備することを特徴とする画像データ管理装置。」
　
（２）引用例
　これに対して、原査定の拒絶の理由に引用された引用例、及び原査定の備考欄において引用された周知例１，２とその記載事項は、上記２．（２）に記載したとおりである。
　
（３）対比・判断
　本願発明は、上記２．で検討した本願補正発明における「更新条件設定手段」における「更新条件」について、「既存のリマーク情報と新規に付すリマーク情報とを連結させる順序を示す更新条件」とする限定を省き、「リマーク情報更新手段」の更新の態様について、「データ記憶手段にて記憶されている既存のリマーク情報を読み込むとともに新規に付すリマーク情報と上記順序で連結して新たなリマーク情報を生成して更新する」ものとする限定を省いたものである。
　そうすると、本願発明の構成要件を全て含み、さらに特定の限定を施したものに相当する本願補正発明が、上記２．（４）に記載したとおり、引用例記載の発明、上記周知例１，２に記載された周知技術、及び上記特開平８−２９７６５９号公報に記載された周知技術に基いて、当業者が容易に発明をすることができたものであるから、本願発明は、上記特定の限定について引用した上記特開平８−２９７６５９号公報に記載された周知技術を参酌するまでもなく、引用例記載の発明、及び上記周知例１，２に記載された周知技術に基いて、当業者が容易に発明をすることができたものである。
　
（４）むすび
　以上のとおり、本願発明は、引用例記載の発明、及び上記周知例１，２に記載された周知技術に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。